(57)【要約】【課題】  画素アレイ、当該画素アレイを含むディスプレイ、及び画像をディスプレイに表示する方法を提供する。【解決手段】  画素アレイは、複数の基本画素単位が水平方向及び垂直方向に沿って繰り返されることにより構成される。各基本画素単位は、上から下に配列される第１の画素ドット、第２の画素ドット、及び第３の画素ドットを含む。第１の画素ドットは、２つの水平な行のそれぞれに位置する第１の色の第１サブ画素及び第２の色の第２サブ画素から構成される。第２の画素ドットは、２つの水平な行のそれぞれに位置する第３の色の第３サブ画素及び第１の色の第１サブ画素から構成される。第３の画素ドットは、２つの水平な行のそれぞれに位置する第２の色の第２サブ画素及び第３の色の第３サブ画素から構成される。本発明は、蒸着精度、歩留まり、及び画像解像度を同時に高めることができる。【選択図】図６
2015018242.tif 000002
【特許請求の範囲】
【請求項１】
複数の基本画素単位が水平方向及び垂直方向に沿って繰り返されることにより構成される画素アレイであって、
各基本画素単位は、上から下の順に、
２つの水平な行のそれぞれに位置する第１の色の第１サブ画素及び第２の色の第２サブ画素から構成される第１の画素ドットと、
２つの水平な行のそれぞれに位置する第３の色の第３サブ画素及び第１の色の第１サブ画素から構成される第２の画素ドットと、
２つの水平な行のそれぞれに位置する第２の色の第２サブ画素及び第３の色の第３サブ画素から構成される第３の画素ドットと、を含み、
第１の画素ドットにおける第１サブ画素、第２の画素ドットにおける第３サブ画素、及び第３の画素ドットにおける第２サブ画素は、垂直方向において、第１の間隔をもって上から下に順に並んで第１列を構成し、
第１の画素ドットにおける第２サブ画素、第２の画素ドットにおける第１サブ画素、及び第３の画素ドットにおける第３サブ画素は、垂直方向において、第１の間隔をもって上から下に順に並んで第２列を構成し、
前記第２列と前記第１列とは、水平方向において、第２の間隔だけずれている
ことを特徴とする画素アレイ。
【請求項２】
前記第１の間隔は、１つのサブ画素の高さより小さい
ことを特徴とする請求項１に記載の画素アレイ。
【請求項３】
前記第２の間隔は、０以上である
ことを特徴とする請求項１または２に記載の画素アレイ。
【請求項４】
前記第１サブ画素、前記第２サブ画素、及び前記第３サブ画素の形状は、矩形、円型、菱形、又は六角形の中の何れか一種であり、
前記第１の色、前記第２の色、及び前記第３の色は、それぞれ、青、赤、緑である
ことを特徴とする請求項１に記載の画素アレイ。
【請求項５】
前記第１サブ画素、前記第２サブ画素、及び前記第３サブ画素の形状は、矩形、円型、菱形、又は六角形の中の何れか一種であり、
前記第１の色、前記第２の色、及び前記第３の色は、それぞれ、青、緑、赤である
ことを特徴とする請求項１に記載の画素アレイ。
【請求項６】
前記第１サブ画素の面積は、前記第２サブ画素の面積と同様であり、
前記第３サブ画素の面積は、前記第１サブ画素の面積の７５％〜８５％である
ことを特徴とする請求項４に記載の画素アレイ。
【請求項７】
画素領域及び非画素領域を備える基底と、
画素領域に位置する画素アレイは、請求項１〜６のいずれか１項に記載の画素アレイであり、
前記駆動部は、
前記ディスプレイに表示しようとするカラー画像を示す画像信号を入力するための入力ユニットと、
前記ディスプレイの、各第１サブ画素、各第２サブ画素及び各第３サブ画素の強度値を含む強度分布図を生成するためのサブ画素発色ユニットと、
前記強度分布図に基づいて発生された複数の電気信号を前記ディスプレイへ出力するための出力ユニットと、を含む
ことを特徴とするディスプレイ。
【請求項８】
前記駆動部は、さらに、
前記入力ユニットから前記カラー画像を受信して、前記カラー画像に対応するものであって、各第１サブ画素、各第２サブ画素及び各第３サブ画素の輝度値を含む輝度分布図を生成する輝度マッピングユニットと、
前記輝度マッピングユニットと前記サブ画素発色ユニットとの間に電気的に接続され、前記輝度分布図を解析して前記カラー画像の少なくとも１つのパターンを推定するとともに、各パターンに対して、少なくとも１つのカラーテンプレートを生成するためのパターン推定ユニットと、
前記サブ画素発色ユニットと前記出力ユニットとの間に電気的に接続され、サブ画素発色ユニットからの強度分布図を受信してバッファリングしてから出力する輝度バッファーと、を含む
ことを特徴とする請求項７に記載のディスプレイ。
【請求項９】
前記少なくとも１つのパターンは、点パターンを含み、
前記点パターンに対応する前記カラーテンプレートは、
前記点パターンのカラーテンプレートの中心に位置し、第１の輝度値を有する第１サブ画素と、
前記第１サブ画素の直下のサブ画素行に位置し、第２の輝度値を有する第２サブ画素と、
前記第１サブ画素の直上のサブ画素行に位置し、第３の輝度値を有する第３サブ画素と、を含む
ことを特徴とする請求項７に記載のディスプレイ。
【請求項１０】
画像をディスプレイに表示する方法であって、
前記ディスプレイは、請求項１〜６のいずれか１項に記載の画素アレイを有し、
前記方法は、
前記ディスプレイに表示しようとするカラー画像を示す画像信号を入力するステップ（ａ）と、
前記ディスプレイの、各第１サブ画素、各第２サブ画素及び各第３サブ画素の強度値を含む強度分布図を生成するステップ（ｂ）と、
前記強度分布図に基づいて発生された複数の電気信号を前記ディスプレイへ出力するステップ（ｃ）と、を含む
ことを特徴とする方法。
【発明の詳細な説明】
【技術分野】
【０００１】
本発明は、表示技術分野に関し、特に、画素アレイ、当該画素アレイを含むディスプレイ及び画像をディスプレイに表示する方法に関する。
【背景技術】
【０００２】
アクティブマトリックス式有機ＥＬ（以下、ＡＭＯＬＥＤと略称する）は、新しい時代のディスプレイである。図１ａ〜図１ｅは、従来技術におけるＡＭＯＬＥＤディスプレイの各種の画素アレイを模式的に示す図である。
【０００３】
伝統的な画素アレイの画素単位は、赤、緑、青の３つのサブ画素から構成される。しかしながら、現在のＡＭＯＬＥＤ画素アレイを設計するとき、ＰｅｎＴｉｌｅ技術のような配列方式を使用する傾向がある。ＰｅｎＴｉｌｅ画素アレイの各画素ドット（又は、画素単位と称する）は、すべて同じ種類ではなく、１つの種類が赤、緑から構成され、もう１つの種類が青、緑から構成される。三原色を揃える場合のみ、フルカラーを再現することができることはよく知られており、２種類の色ではフルカラーを再現することが不可能であるため、実際に画像を表示するとき、ＰｅｎＴｉｌｅの１つの画素単位は、自身が備えていない他の１種類の色を、隣り合う画素単位から借用することにより、三原色を構成する。水平方向において、各画素単位とそれに隣接する画素単位は、自分自身が備えていない１種類の色のサブ画素を共用して、白色を表示する効果を達成する。
【発明の概要】
【発明が解決しようとする課題】
【０００４】
現在、ＡＭＯＬＥＤは、高解像度の製品において、限界に達している。これは、従来のＡＭＯＬＥＤの蒸着技術が主にＦＭＭ（Ｆｉｎｅ Ｍｅｔａｌ Ｍａｓｋ）を使用しているが、その蒸着精度がノーマルの画素アレイ方式（ストリップ配列：ｓｔｒｉｐｅ）を採用するときに２００ＰＰＩを超える製品の場合、混色しやすいという問題（即ち、歩留まりが低い問題）が発生するからである。
【０００５】
そこで、非典型的なＰｅｎＴｉｌｅ画素アレイなどのレンダリング（ｒｅｎｄｅｒｉｎｇ）画素アレイ方式が生み出され、これにより、１／３のサブ画素の数を減少することができ、ＦＭＭの蒸着精度が足りないという問題を解決する。しかしながら、ＰｅｎＴｉｌｅ配列は、実際のＲＧＢサブ画素と異なり、サブ画素を共用する関係により、画面は、非連続する箇所の境界において多少ぼんやりするように見える。また、ＰｅｎＴｉｌｅ或いは非典型的ＰｅｎＴｉｌｅ画素アレイ方式は、画面のエッジを粗くする問題ももたらす。
【０００６】
このため、本発明は、新しい画素アレイ、当該画素アレイを含むディスプレイ、及び画像をディスプレイに表示する方法を提供する。本発明は、サブ画素を減少するだけではなく、従来技術の画素アレイに存在する画面エッジがぼんやりするという欠陥を克服することができるとともに、蒸着精度、蒸着歩留まり及び画像解像度を高めることができる。
【課題を解決するための手段】
【０００７】
従来技術に存在する問題に対して、本発明のある局面は、複数の基本画素単位が水平方向及び垂直方向に沿って繰り返されることにより構成される画素アレイを提供し、各基本画素単位は、上から下の順に、２つの水平な行のそれぞれに位置する第１の色の第１サブ画素及び第２の色の第２サブ画素から構成される第１の画素ドットと、２つの水平な行のそれぞれに位置する第３の色の第３サブ画素及び第１の色の第１サブ画素から構成される第２の画素ドットと、２つの水平な行のそれぞれに位置する第２の色の第２サブ画素及び第３の色の第３サブ画素から構成される第３の画素ドットと、を含み、第１の画素ドットにおける第１サブ画素、第２の画素ドットにおける第３サブ画素、及び第３の画素ドットにおける第２サブ画素は、垂直方向において、第１の間隔をもって上から下に順に並んで第１列を構成し、第１の画素ドットにおける第２サブ画素、第２の画素ドットにおける第１サブ画素、及び第３の画素ドットにおける第３サブ画素は、垂直方向において、第１の間隔をもって上から下に順に並んで第２列を構成し、前記第２列と前記第１列とは、水平方向において、第２の間隔だけずれている。
【０００８】
一実施例において、前記第１の間隔は、１つのサブ画素の高さより小さい。
一実施例において、前記第２の間隔は、０以上である。
【０００９】
一実施例において、画素アレイの水平方向において隣り合う２つの基本画素単位の、互いに対応する位置にある２つのサブ画素の間の水平間隔は、１つのサブ画素の幅以上である。
【００１０】
一実施例において、画素アレイの垂直方向において隣り合う２つの基本画素単位の、互いに対応する位置にある２つのサブ画素の間の垂直間隔は、５つのサブ画素の高さより小さい。
【００１１】
一実施例において、前記第１サブ画素、前記第２サブ画素、及び前記第３サブ画素の形状は、矩形、円型、菱形、又は六角形の中の何れか一種である。
【００１２】
一実施例において、前記第１の色、前記第２の色、及び前記第３の色は、それぞれ、青、赤、緑である。
【００１３】
一実施例において、前記第１の色、前記第２の色、及び前記第３の色は、それぞれ、青、緑、赤である。
【００１４】
一実施例において、前記第１サブ画素の面積は、前記第２サブ画素の面積と同様であり、前記第３サブ画素の面積は、前記第１サブ画素の面積の７５％〜８５％である。
【００１５】
一実施例において、前記画素アレイにおける各同色のサブ画素行は、走査駆動部から信号を供給され、前記画素アレイにおける各異色のサブ画素列は、データ駆動部から信号を供給される。
【００１６】
本発明のもう１つ他の局面は、ディスプレイを提供し、前記ディスプレイは、画素領域、及び非画素領域を備える基底と、画素領域に位置し、第１の電極、有機薄層、及び第２の電極を含む有機発光ダイオードと、有機発光ダイオードを駆動するための駆動部とを含み、
前記画素領域の画素アレイは、複数の基本画素単位が水平方向及び垂直方向に沿って繰り返されることにより構成され、各基本画素単位は、上から下の順に、２つの水平な行のそれぞれに位置する第１の色の第１サブ画素及び第２の色の第２サブ画素から構成される第１の画素ドットと、２つの水平な行のそれぞれに位置する第３の色の第３サブ画素及び第１の色の第１サブ画素から構成される第２の画素ドットと、２つの水平な行のそれぞれに位置する第２の色の第２サブ画素及び第３の色の第３サブ画素から構成される第３の画素ドットと、を含み、第１の画素ドットにおける第１サブ画素、第２の画素ドットにおける第３サブ画素、及び第３の画素ドットにおける第２サブ画素は、垂直方向において、第１の間隔をもって上から下に順に並んで第１列を構成し、第１の画素ドットにおける第２サブ画素、第２の画素ドットにおける第１サブ画素、及び第３の画素ドットにおける第３サブ画素は、垂直方向において、第１の間隔をもって上から下に順に並んで第２列を構成し、前記第２列と前記第１列とは、水平方向において、第２の間隔だけずれており、
前記駆動部は、前記ディスプレイに表示しようとするカラー画像を示す画像信号を入力するための入力ユニットと、前記ディスプレイの、各第１サブ画素、各第２サブ画素、及び各第３サブ画素の強度値を含む強度分布図を生成するためのサブ画素発色ユニットと、前記強度分布図に基づいて発生された複数の電気信号を前記ディスプレイへ出力するための出力ユニットと、を含む。
【００１７】
一実施例において、前記駆動部は、さらに、前記入力ユニットから前記カラー画像を受信して、前記カラー画像に対応するものであって、各第１サブ画素、各第２サブ画素、及び各第３サブ画素の輝度値を含む輝度分布図を生成する輝度マッピングユニットと、前記輝度マッピングユニットと前記サブ画素発色ユニットとの間に電気的に接続され、前記輝度分布図を解析して前記カラー画像の少なくとも１つのパターンを推定するとともに、各パターンに対して、少なくとも１つのカラーテンプレートを生成するためのパターン推定ユニットと、を含む。
【００１８】
一実施例において、前記駆動部は、さらに、前記サブ画素発色ユニットと前記出力ユニットとの間に電気的に接続され、サブ画素発色ユニットからの強度分布図を受信してバッファリングしてから出力する輝度バッファーを含む。
【００１９】
一実施例において、前記少なくとも１つのパターンは、点パターンを含み、前記点パターンに対応する前記カラーテンプレートは、前記点パターンのカラーテンプレートの中心に位置し、第１の輝度値を有する第１サブ画素と、前記第１サブ画素の直下のサブ画素行に位置し、第２の輝度値を有する第２サブ画素と、前記第１サブ画素の直上のサブ画素行に位置し、第３の輝度値を有する第３サブ画素と、を含む。
【００２０】
一実施例において、前記第１サブ画素と前記第２サブ画素とは、１つの画素ドットを構成する。
【００２１】
一実施例において、前記第１の間隔は、１つのサブ画素の高さより小さい。
一実施例において、前記第２の間隔は、０以上である。
【００２２】
一実施例において、画素アレイの水平方向において隣り合う２つの基本画素単位の、互いに対応する位置にある２つのサブ画素の間の水平間隔は、１つのサブ画素の幅以上である。
【００２３】
一実施例において、画素アレイの垂直方向において隣り合う２つの基本画素単位の、互いに対応する位置にある２つのサブ画素の間の垂直間隔は、５つのサブ画素の高さより小さい。
【００２４】
一実施例において、前記第１サブ画素、前記第２サブ画素、及び前記第３サブ画素の形状は、矩形、円型、菱形、又は六角形の中の何れか一種である。
【００２５】
一実施例において、前記第１の色、前記第２の色、及び前記第３の色は、それぞれ、青、赤、緑である。
【００２６】
一実施例において、前記第１の色、前記第２の色、及び前記第３の色は、それぞれ、青、緑、赤である。
【００２７】
一実施例において、前記第１サブ画素の面積は、前記第２サブ画素の面積と同様であり、前記第３サブ画素の面積は、前記第１サブ画素の面積の７５％〜８５％である。
【００２８】
一実施例において、前記画素アレイにおける各同色のサブ画素行は、走査駆動部から信号を供給され、前記画素アレイにおける各異色のサブ画素列は、データ駆動部から信号を供給される。
【００２９】
本発明のもう１つの他の局面は、画像をディスプレイに表示する方法を提供し、前記ディスプレイは、複数の基本画素単位が水平方向及び垂直方向に沿って繰り返されることにより構成される画素アレイを備え、各基本画素単位は、上から下の順に、２つの水平な行のそれぞれに位置する第１の色の第１サブ画素及び第２の色の第２サブ画素から構成される第１の画素ドットと、２つの水平な行のそれぞれに位置する第３の色の第３サブ画素及び第１の色の第１サブ画素から構成される第２の画素ドットと、２つの水平な行のそれぞれに位置する第２の色の第２サブ画素及び第３の色の第３サブ画素から構成される第３の画素ドットと、を含み、第１の画素ドットにおける第１サブ画素、第２の画素ドットにおける第３サブ画素、及び第３の画素ドットにおける第２サブ画素は、垂直方向において、第１の間隔をもって上から下に順に並んで第１列を構成し、第１の画素ドットにおける第２サブ画素、第２の画素ドットにおける第１サブ画素、及び第３の画素ドットにおける第３サブ画素は、垂直方向において、第１の間隔をもって上から下に順に並んで第２列を構成し、前記第２列と前記第１列とは、水平方向において、第２の間隔だけずれており、
前記方法は、
前記ディスプレイに表示されるカラー画像を示す画像信号を入力するステップ（ａ）と、前記ディスプレイの、各第１サブ画素、各第２サブ画素、及び各第３サブ画素の強度値を含む強度分布図を生成するステップ（ｂ）と、前記強度分布図に基づいて発生された複数の電気信号を前記ディスプレイへ出力するステップ（ｃ）と、を含む。
【００３０】
一実施例において、ステップ（ａ）の後であってステップ（ｂ）の前に、さらに、前記カラー画像の、各第１サブ画素、各第２サブ画素、及び各第３サブ画素の輝度値を含む輝度分布図を生成するステップと、前記輝度分布図を解析して前記カラー画像の少なくとも１つのパターンを推定するとともに、各パターンに対して、前記強度分布図を生成するための少なくとも１つのカラーテンプレートを生成するステップと、を含む。
【００３１】
一実施例において、ステップ（ｂ）の後であってステップ（ｃ）の前に、さらに、前記強度分布図を受信してバッファリングするステップを含む。
【００３２】
一実施例において、前記少なくとも１つのパターンは、点パターンを含み、前記点パターンに対応する前記カラーテンプレートは、前記点パターンのカラーテンプレートの中心に位置し、第１の輝度値を有する第１サブ画素と、前記第１サブ画素の直下のサブ画素行に位置し、第２の輝度値を有する第２サブ画素と、前記第１サブ画素の直上のサブ画素行に位置し、第３の輝度値を有する第３サブ画素と、を含む。
【００３３】
一実施例において、前記第１サブ画素と前記第２サブ画素とは、１つの画素ドットを構成する。
【００３４】
一実施例において、前記第１の間隔は、１つのサブ画素の高さより小さい。
一実施例において、前記第２の間隔は、０以上である。
【００３５】
一実施例において、画素アレイの水平方向において隣り合う２つの基本画素単位の、互いに対応する位置にある２つのサブ画素の間の水平間隔は、１つのサブ画素の幅以上である。
【００３６】
一実施例において、画素アレイの垂直方向において隣り合う２つの基本画素単位の、互いに対応する位置にある２つのサブ画素の間の垂直間隔は、５つのサブ画素の高さより小さい。
【００３７】
一実施例において、前記第１サブ画素、前記第２サブ画素、及び前記第３サブ画素の形状は、矩形、円型、菱形、又は六角形の中の何れか一種である。
【００３８】
一実施例において、前記第１の色、前記第２の色、及び前記第３の色は、それぞれ、青、赤、緑である。
【００３９】
一実施例において、前記第１の色、前記第２の色、及び前記第３の色は、それぞれ、青、緑、赤である。
【００４０】
一実施例において、前記第１サブ画素の面積は、前記第２サブ画素の面積と同様であり、前記第３サブ画素の面積は、前記第１サブ画素の面積の７５％〜８５％である。
【００４１】
一実施例において、前記画素アレイにおける各同色のサブ画素行は、走査駆動部から信号を供給され、前記画素アレイにおける各異色のサブ画素列は、データ駆動部から信号を供給される。
【発明の効果】
【００４２】
本発明は、サブ画素を減少するだけではなく、従来技術の画素アレイに存在する画面エッジがぼんやりするという欠陥を克服することができるとともに、蒸着精度、蒸着歩留まり及び画像解像度を高めることができる有益な効果を得られる。
【図面の簡単な説明】
【００４３】
【図１ａ】従来技術における各種の画素アレイを模式的に示す図である。
【図１ｂ】従来技術における各種の画素アレイを模式的に示す図である。
【図１ｃ】従来技術における各種の画素アレイを模式的に示す図である。
【図１ｄ】従来技術における各種の画素アレイを模式的に示す図である。
【図１ｅ】従来技術における各種の画素アレイを模式的に示す図である。
【図２】本発明の表示機器を模式的に示す図である。
【図３】本発明に係る画素アレイを模式的に示す図である。
【図４ａ】本発明に係る第１の実施例の画素アレイを模式的に示す図である。
【図４ｂ】本発明に係る第２の実施例の画素アレイを模式的に示す図である。
【図５ａ】本発明に係る第３の実施例の画素アレイを模式的に示す図である。
【図５ｂ】本発明に係る第４の実施例の画素アレイを模式的に示す図である。
【図５ｃ】本発明に係る第５の実施例の画素アレイを模式的に示す図である。
【図６】本発明に係る第６の実施例の画素アレイを模式的に示す図である。
【図７】本発明に係るカラー画像をディスプレイに表示させる駆動部を示す図である。
【図８】本発明に係る画像をディスプレイに表示する方法を示す図である。
【発明を実施するための形態】
【００４４】
以下の説明で、本発明の特徴と利点を表す典型的な実施例を詳細に記述する。本発明は、異なる実施例において各種の変形を行うことができ、何れも本発明の範囲を逸脱せず、実施例における説明と図面は本質的に説明するためのものであり、本発明を制限するためのものではないと理解すべきである。
【００４５】
本発明に係る実施例の画素アレイは、本発明に係る実施例のディスプレイに適用することができ、本発明に係る実施例のディスプレイは、本発明に係る実施例の画素アレイを有することができ、本発明に係る実施例の具現方法（又は、レンダリング方法と称する）は、本発明に係る実施例のディスプレイに適用することができる。本発明のディスプレイは、携帯電話のディスプレイに適用することが好ましく、携帯電話のＡＭＯＬＥＤディスプレイに適用することがより好ましい。
【００４６】
図２は、本発明の表示機器を模式的に示す図である。表示機器は、ＯＬＥＤ表示機器２０である。図２を参照すると、ＯＬＥＤ表示機器２０は、少なくとも表示単位２００、走査駆動部２２０、データ駆動部２３０を含む。ＯＬＥＤ表示機器２０は、他の設備及び／或いは素子を含んでも良い。
【００４７】
表示単位２００は、走査ライン（Ｓ１〜Ｓｎ）、発光制御ライン（ＥＭ１〜ＥＭｎ）、及びデータライン（Ｄ１〜Ｄｎ）に接続される複数の画素ドット２１０を含んでも良い。さらに、１つの画素ドット２１０は、１つのＯＬＥＤを備え、例えば赤と緑、赤と青、又は、緑と青などの異なる色の光を出射するための２つのサブ画素から構成されてもよい。
【００４８】
表示単位２００は、外部から供給される第１の電源（ＥＬＶｄｄ）及び外部から供給される第２の電源（ＥＬＶｓｓ）に対応するように画像を表示することができる。表示単位２００は、さらに、走査駆動部２２０により生成される走査ラインＳ１〜Ｓｎからの走査信号、発光制御ラインＥＭ１〜ＥＭｎからの発光制御信号、及びデータ駆動部２３０により生成されるデータラインＤ１〜Ｄｍからのデータ信号に対応する画像を表示することができる。
【００４９】
走査駆動部２２０は、走査信号及び発光制御信号を生成することができる。走査駆動部２２０により生成される走査信号は、走査ライン（Ｓ１〜Ｓｎ）に順次に供給され、発光制御信号は、各発光制御ライン（ＥＭ１〜ＥＭｎ）に順次に供給される。走査信号及び発光信号は、それぞれ走査ラインＳ１〜Ｓｎ及び発光制御ラインＥＭ１〜ＥＭｎに非順次に供給されても良い。他の実施例において、発光制御信号は、発光制御駆動部により生成されても良い。
【００５０】
データ駆動部２３０は、例えばＲＧＢデータ等の入力信号を受信することができるとともに、受信した入力信号に対応するデータ信号を生成することができる。データ駆動部２３０により生成されたデータ信号は、走査信号に同期するように、データライン（Ｄ１〜Ｄｍ）を介して画素ドット２１０に供給されても良く、走査信号に同期しないように、データラインＤ１〜Ｄｍに供給されても良い。
【００５１】
本発明に係る実施例の画素アレイは、実質上、２つのサブ画素で１つの画素ドット２１０を具現する。画素アレイは、図３〜図６で詳細に示される。
【００５２】
図３は、本発明に係る画素アレイを模式的に示す図である。図３に示されるように、画素アレイは、複数の基本画素単位３０が水平方向及び垂直方向に沿って繰り返されることにより構成される。各基本画素単位３０は、上から下に配列される第１の画素ドット３１、第２の画素ドット３２、及び第３の画素ドット３３を含む。第１の画素ドット３１は、２つの水平な行のそれぞれに位置する第１の色の第１サブ画素Ｐ１及び第２の色の第２サブ画素Ｐ２から構成される。第２の画素ドット３２は２つの水平な行のそれぞれに位置する第３の色の第３サブ画素Ｐ３及び第１の色の第１サブ画素Ｐ１から構成される。第３の画素ドット３３は、２つの水平な行のそれぞれに位置する第２の色の第２サブ画素Ｐ２及び第３の色の第３サブ画素Ｐ３から構成される。第１の画素ドット３１における第１サブ画素Ｐ１、第２の画素ドット３２における第３サブ画素Ｐ３、及び第３の画素ドット３３における第２サブ画素Ｐ２は、垂直方向において、第１の間隔をもって上から下に順に並んで第１列を構成する。第１の画素ドット３１における第２サブ画素Ｐ２、第２の画素ドット３２における第１サブ画素Ｐ１及び第３の画素ドット３３における第３サブ画素Ｐ３は、垂直方向において、第１の間隔をもって上から下に順に並んで第２列を構成する。上記第２列と上記第１列とは、水平方向において、第２の間隔だけずれている。
【００５３】
より具体的には、上記第１の間隔は、１つのサブ画素の高さより小さい。即ち、第１の画素ドット３１における第１サブ画素Ｐ１と第２の画素ドット３２における第３サブ画素Ｐ３との間の間隔は、（図面では上記間隔が１つのサブ画素の高さにおおよそ等しいが）１つのサブ画素の高さより小さく、第２の画素ドット３２における第３サブ画素Ｐ３と第３の画素ドット３３における第２サブ画素Ｐ２との間の間隔も、１つのサブ画素の高さより小さい。同様に、第１の画素ドット３１における第２サブ画素Ｐ２と第２の画素ドット３２における第１サブ画素Ｐ１との間の間隔は、（図面では上記間隔が１つのサブ画素の高さにおおよそ等しいが）１つのサブ画素の高さより小さく、第２の画素ドット３２における第１サブ画素Ｐ１と第３の画素ドット３３における第３サブ画素Ｐ３との間の間隔も、１つのサブ画素の高さより小さい。
【００５４】
より具体的には、上記第２の間隔は０以上である。即ち、画素アレイの水平方向において隣り合う２つの基本画素単位の互いに対応する位置にある２つのサブ画素の間の水平間隔は、１つのサブ画素の幅以上である。例えば、図示した１行目の第１の画素ドット３１における第１サブ画素Ｐ１と、水平方向において当該第１の画素ドット３１に隣接する画素ドットにおける第１サブ画素Ｐ１との間の間隔は、１つのサブ画素の幅以上であり、これにより、第１の画素ドットにおける第１サブ画素Ｐ１と第２サブ画素Ｐ２との水平方向における間隔が０以上である。
【００５５】
より具体的には、画素アレイの垂直方向において隣り合う２つの基本画素単位の、互いに対応する位置にある２つのサブ画素の間の垂直間隔は、５つのサブ画素の高さより小さい。例えば、図示した１行目の第１の画素ドット３１における第１サブ画素Ｐ１と、垂直方向において該基本画素単位に隣接する基本画素単位の第１の画素ドットにおける第１サブ画素Ｐ１（図示した７行目の1つ目のＰ１）との間の間隔は、５つのサブ画素の高さより小さい。これにより、第１の画素ドット３１における第１サブ画素Ｐ１と第２の画素ドット３２における第３サブ画素Ｐ３との垂直方向における間隔、及び第２の画素ドット３２における第３サブ画素Ｐ３と第３の画素ドット３３における第２サブ画素Ｐ２との垂直方向における間隔は、それぞれ１つのサブ画素の高さより小さい。
【００５６】
より具体的には、第１の画素ドット３１、第２の画素ドット３２、及び第３の画素ドット３３は、それぞれ図２に示した画素ドット２１０に相当する。行方向において隣り合う２つの第１サブ画素Ｐ１の間の間隔、行方向において隣り合う２つの第２サブ画素Ｐ２の間の間隔、及び行方向において隣り合う２つの第３サブ画素Ｐ３の間の間隔は、いずれも１つのサブ画素の幅以上であるため、第１の画素ドット３１を構成するＰ１とＰ２との間、第２の画素ドット３２を構成するＰ３とＰ１との間、及び第３の画素ドット３３を構成するＰ２とＰ３との間に、混色が発生しない。三原色を揃える場合のみフルカラーを再現することができ、２種類の色ではフルカラーを再現することが不可能であるため、実際に画像を表示するとき、１つの画素ドットは、自身が備えていない他の１種類の色を、隣り合う画素単位から借用することにより三原色を構成する。行ごとに上から下へ走査する場合、画素ドット３２は、第２サブ画素を欠いているため、垂直方向において当該画素ドット３２に隣接する上の画素ドット３１から第２サブ画素Ｐ２を借用することができる。これにより、各画素ドットは、垂直方向において隣り合う画素ドットと、自分が備えていない１種類の色のサブ画素を共用して、白色を表示する効果を達成する。
【００５７】
図４ａは、本発明に係る第１の実施例の画素アレイを模式的に示す図である。図４ａに示されるように、画素アレイは、複数の基本画素単位４０が水平方向及び垂直方向に沿って繰り返されることにより構成される。各基本画素単位４０は、上から下に配列される第１の画素ドット４１、第２の画素ドット４２、及び第３の画素ドット４３を含む。第１の画素ドット４１は、２つの水平な行のそれぞれに位置する青サブ画素Ｂ１１及び赤サブ画素Ｒ２１から構成される。第２の画素ドット４２は、２つの水平な行のそれぞれに位置する緑サブ画素Ｇ３１及び青サブ画素Ｂ４１から構成される。第３の画素ドット４３は、２つの水平な行のそれぞれに位置する赤サブ画素Ｒ５１及び緑サブ画素Ｇ６１から構成される。第１の画素ドット４１における青サブ画素Ｂ１１、第２の画素ドット４２における緑サブ画素Ｇ３１、及び第３の画素ドット４３における赤サブ画素Ｒ５１は、垂直方向において、第１の間隔をもって上から下に順に並んで第１列を構成する。第１の画素ドット４１における赤サブ画素Ｒ２１、第２の画素ドット４２における青サブ画素Ｂ４１、及び第３の画素ドット４３における緑サブ画素Ｇ６１は、垂直方向において、第１の間隔をもって上から下に順に並んで第２列を構成する。上記第２列と上記第１列とは、水平方向において、第２の間隔だけずれている。
【００５８】
より具体的には、上記第１の間隔は、１つのサブ画素の高さより小さい。即ち、第１の画素ドット４１における青サブ画素Ｂ１１と、第２の画素ドット４２における緑サブ画素Ｇ３１との間の間隔は、１つのサブ画素の高さより小さく、第２の画素ドット４２における緑サブ画素Ｇ３１と、第３の画素ドット４３における赤サブ画素Ｒ５１との間の間隔も、１つのサブ画素の高さより小さい。同様に、第１の画素ドット４１における赤サブ画素Ｒ２１と、第２の画素ドット４２における青サブ画素Ｂ４１との間の間隔は、１つのサブ画素の高さより小さく、第２の画素ドット４２における青サブ画素Ｂ４１と、第３の画素ドット４３における緑サブ画素Ｇ６１との間の間隔も、１つのサブ画素の高さより小さい。
【００５９】
より具体的には、上記第２の間隔は０以上である。即ち、画素アレイの水平方向において隣り合う２つの基本画素単位の、互いに対応する位置にある２つのサブ画素の間の水平間隔は、１つのサブ画素の幅以上である。例えば、図示した１行目の第１の画素ドット４１における青サブ画素Ｂ１１と、水平方向において当該第１の画素ドット４１に隣接する画素ドットにおける青サブ画素Ｂ１２との間の間隔は、１つのサブ画素の幅以上である。これにより、第１の画素ドットにおける青サブ画素Ｂ１１と赤サブ画素Ｒ２１との水平方向における間隔が０以上である。
【００６０】
より具体的には、画素アレイの垂直方向において隣り合う２つの基本画素単位の、互いに対応する位置にある２つのサブ画素の間の垂直間隔は、５つのサブ画素の高さより小さい。例えば、図示した１行目の第１の画素ドット４１における青サブ画素Ｂ１１と、垂直方向において該基本画素単位に隣接する基本画素単位の第１の画素ドットにおける青サブ画素Ｂ（図示した７行目の1つ目のＢ）との間の間隔は、５つのサブ画素の高さより小さい。これにより、第１の画素ドット４１における青サブ画素Ｂ１１と第２の画素ドット４２における緑サブ画素Ｇ３１との垂直方向における間隔、及び第２の画素ドット４２における緑サブ画素Ｇ３１と第３の画素ドット４３における赤サブ画素Ｒ５１との垂直方向における間隔は、（図面では上記間隔が１つのサブ画素の高さにおおよそ等しくなっているが、）それぞれ１つのサブ画素の高さより小さい。
【００６１】
より具体的には、画素ドット４１、画素ドット４２、及び画素ドット４３は、それぞれ図２に示した画素ドット２１０に相当する。行方向において隣り合う２つの青サブ画素の間の間隔、行方向において隣り合う２つの赤サブ画素の間の間隔、及び行方向において隣り合う２つの緑サブ画素の間の間隔は、いずれも１つのサブ画素の幅以上であるため、画素ドット４１を構成するＢ１１とＲ２１との間、画素ドット４２を構成するＧ３１とＢ４１との間、及び画素ドット４３を構成するＲ５１とＧ６１との間に、混色が発生しない。三原色を揃える場合のみフルカラーを再現することができ、２種類の色ではフルカラーを再現することが不可能であるため、実際に画像を表示するとき、１つの画素トッドは、自身が備えていない他の１種類の色を、隣り合う画素単位から借用することにより三原色を構成する。行ごとに上から下へ走査する場合、画素ドット４２は、赤サブ画素を欠いているため、垂直方向において該画素トッド４２に隣接する上の画素ドット４１から赤サブ画素Ｒ２１を借用することができる。これにより、各画素ドットは、垂直方向において隣り合う画素ドットと、自分が備えていない１種類の色のサブ画素を共用して、白色を表示する効果を達成する。
【００６２】
図４ａにおいて、各サブ画素は、その左上のサブ画素及び右下のサブ画素と同じ直線上に並び、この直線と水平方向とがなす角度は例えば４５度である。このとき、一サブ画素は、垂直方向において、その直上のサブ画素行に位置するサブ画素とその直下のサブ画素行に位置するサブ画素との中間点に位置する。
【００６３】
図４ａに示す実施例において、各サブ画素は、形状がすべて矩形であるとともに、サイズもすべて均等であるが、本発明において、各サブ画素の形状やサイズなどがこれに限定されるものではない。下記第２の実施例〜第６の実施例のような変形例がある。
【００６４】
図４ｂは、本発明に係る第２の実施例の画素アレイを模式的に示す図である。図４ｂに示した実施例において、図４ａに示した実施例と異なる点は、赤サブ画素と緑サブ画素の位置が逆になることにある。
【００６５】
これにより、画素ドット４１’は、１行目の左から一つ目の青サブ画素Ｂ１１、及び２行目の左から一つ目の緑サブ画素Ｇ２１により構成され、画素ドット４２’は、３行目の左から一つ目の赤サブ画素Ｒ３１、及び４行目の左から一つ目の青サブ画素Ｂ４１により構成される。
【００６６】
図５ａは、本発明に係る第３の実施例の画素アレイを模式的に示す図である。図５ａに示した実施例において、図４ａに示した実施例と異なる点は、青サブ画素、赤サブ画素、及び緑サブ画素の形状が六角形であることにある。具体的には、１つの基本画素単位は、符号５０で示され、１つの画素ドットは、符号５１で示される。
【００６７】
図５ｂは、本発明に係る第４の実施例の画素アレイを模式的に示す図である。図５ｂに示した実施例において、図４ａに示した実施例と異なる点は、青サブ画素、赤サブ画素、及び緑サブ画素の形状が菱形であることにある。具体的には、１つの基本画素単位は、符号５０’で示され、１つの画素ドットは、符号５１’で示される。
【００６８】
図５ｃは、本発明に係る第５の実施例の画素アレイを模式的に示す図である。図５ｃに示した実施例において、図４ａに示した実施例と異なる点は、青サブ画素、緑サブ画素の形状が六角形であり、赤サブ画素の形状が菱形であることにある。具体的には、１つの基本画素単位は、符号５０’’で示され、１つの画素ドットは、符号５１’’で示される。
【００６９】
図６は、本発明に係る第６の実施例の画素アレイを模式的に示す図である。具体的には、１つの基本画素単位は、符号６０で示され、１つの画素ドットは、符号６１、６２で示される。図６に示されるように、上記各サブ画素の形状が円形であるとともに、青サブ画素Ｂの面積が赤サブ画素Ｒの面積に等しく、緑サブ画素Ｇの面積が青サブ画素Ｂの面積の７５％−８５％である。これは、緑サブ画素の特性により、その大きさが他の種類のサブ画素と同様でなくても、同等の機能を発揮することができるためである。図６に示されるように、画素ドット６２は、緑サブ画素Ｇ３１及び青サブ画素Ｂ４１を含み、赤サブ画素を欠く。このため、上から下へ行ごとに走査するとき、その上に位置する画素ドット６１から赤サブ画素Ｒ２１を借用することができる。
【００７０】
本発明のマトリックスアレイにおいて、上記各サブ画素の形状は、円型、矩形、及び菱形以外、六角形などの形状であっても良い。
【００７１】
本発明に係る実施例のディスプレイは、画素領域、及び非画素領域を備える基底と、画素領域に位置し、第１の電極、有機薄層、及び第２の電極を含む有機発光ダイオードと、有機発光ダイオードを駆動するための駆動部とを含む。本発明に係る実施例のディスプレイの画素領域における画素アレイは、図３〜図６に示した本発明の何れの実施例の画素アレイであってもよい。
【００７２】
図７は、本発明に係る、カラー画像をディスプレイに表示させる駆動部７００を示す。駆動部７００は、入力ユニット７０２、輝度マッピングユニット７０４、パターン推定ユニット７０６、サブ画素発色ユニット（Ｐａｉｎｔｉｎｇ Ｕｎｉｔ）７０８、輝度バッファー７１０、及び出力ユニット７１２を含む。入力ユニット７０２は、ディスプレイに表示しようとするカラー画像を示す画像信号を入力する。輝度マッピングユニット７０４は、当該カラー画像に対応する輝度分布図を生成する。輝度分布図は、各赤、緑、及び青の各々の輝度値を含む。パターン推定ユニット７０６は、輝度分布図を解析して、当該カラー画像の少なくとも１つのパターンを推定する。当該カラー画像の少なくとも１つのパターンは、点パターン、垂直線、水平線、及び対角線の中の少なくとも１種類を含む。パターン推定ユニット７０６は、さらに、各パターンに対して、少なくとも一つのカラーテンプレートを生成する。画素発色ユニット７０８は、少なくとも１つのカラーテンプレートを利用して強度分布図を生成し、当該強度分布図を輝度バッファー７１０へ出力する。強度分布図は、ディスプレイの各第１サブ画素、各第２サブ画素、及び各第３サブ画素の強度値を含む。出力ユニット７１２は、強度分布図により発生された複数の電圧信号をディスプレイへ出力する。
【００７３】
駆動部７００は、輝度マッピングユニット７０４とパターン推定ユニット７０６を使用せず、入力画像信号に基づいて直接強度分布図を生成するように設置されても良い。
【００７４】
本発明に係る各実施例の画素アレイは、各種のカラーテンプレートを生成することができ、カラーテンプレートは、点パターンの色により決められ、１つの画像における各種のパターンを表示する。各第１の輝度値、各第２の輝度値、及び各第３の輝度値は、それぞれ、各色の階調値（輝度）がその最大階調値に対する比であり、０％〜１００％の割合として表される。例えば、一色のｎビットの階調値の場合、当該階調は、この色がないということを表す０からフルカラーであることを表す（２ｎ−１）までの数値で表される。前者は、０％の輝度値を有し、一方、後者は、この色の１００％の輝度値を有する。輝度値は８ビットの階調値によるものである。即ち、０、１、２、．．．、２５４、２５５の数値で階調値を表す。他のビット数の階調値でも本発明を実施することができると理解すべきである。なお、階調値とは、１つの画像における複数段階の階調であるか、或いは、肉眼が当該画像から受光した受光量である。当該カラー画像の輝度がｎビットの階調の形態で表現されると、階調値は、黒を指す“０”から白を指す“２ｎ−１”までの数値で表され、“０”と“２ｎ−１”との間の数値は増加する階調を表す。但し、ｎは、０より大きい整数である。
【００７５】
例えば、カラーテンプレートは、白色の点パターンを表示するために、約１００％の緑色の輝度値、約５０％〜約１００％の青色の輝度値、及び約５０％〜約１００％の赤色の輝度値を含む。カラーテンプレートは、赤色の点パターンを表示するために、約１％〜約２０％の緑色の輝度値、約０％〜約５０％の青色の輝度値、及び約５０％〜約１００％の赤色の輝度値を含む。カラーテンプレートは、緑色の点パターンを表示するために、約１００％の緑色の輝度値、約０％〜約５０％の青色の輝度値、及び約１％〜約３０％の赤色の輝度値を含む。カラーテンプレートは、青色の点パターンを表示するために、約１％〜約２０％の緑色の輝度値、約５０％〜約１００％の青色の輝度値、及び約０％〜約３０％の赤色の輝度値を含む。
【００７６】
図８は、本発明に係る、画像をディスプレイに表示する方法８００を示す図である。方法８００は、以下のステップを含む。
【００７７】
ステップ８０２において、画像信号を入力する。画像信号は、例えば、カラー画像を示す画像信号である。
【００７８】
ステップ８０４において、入力された画像信号に基づいて、輝度分布図を生成する。輝度分布図は、各赤サブ画素、緑サブ画素、及び青サブ画素各々の輝度値を含む。
【００７９】
ステップ８０６において、輝度分布図を解析してカラー画像の少なくとも１つのパターンを推定するとともに、各パターンについて、少なくとも１つのカラーテンプレートを生成する。上記カラーテンプレートは、複数のサブ画素を有し，上記少なくとも１つのカラーテンプレートは、それぞれ、上記カラー画像の上記少なくとも１つのパターンに対応する。
【００８０】
ステップ８０８において、少なくとも１つのカラーテンプレートに基づいて、強度分布図を生成する。強度分布図は、ディスプレイの各第１サブ画素、各第２サブ画素、及び各第３サブ画素の強度値を含む。
【００８１】
ステップ８１０において、強度分布図を輝度バッファーへ出力する。
ステップ８１２において、強度分布図により発生された複数の電気信号をディスプレイへ出力する。
【００８２】
方法８００は、ステップ８０４及びステップ８０６を行わず、入力された画像信号から少なくとも１つのカラーテンプレートを直接生成するように設定されても良い。
【００８３】
当業者は、本発明に付属される特許範囲に開示された本発明の範囲及び主旨を逸脱しない範囲で実施する変更及び修正は、すべて本発明の特許範囲に含まれるものであると考えるべきである。
【符号の説明】
【００８４】
ＯＬＥＤ表示機器２０、表示単位２００、走査駆動部２２０、データ駆動部２３０、画素ドット２１０
【図１ａ】
2015018242.tif 000003
【図１ｂ】
2015018242.tif 000004
【図１ｃ】
2015018242.tif 000005
【図１ｄ】
2015018242.tif 000006
【図１ｅ】
2015018242.tif 000007
【図２】
2015018242.tif 000008
【図３】
2015018242.tif 000009
【図４ａ】
2015018242.tif 000010
【図４ｂ】
2015018242.tif 000011
【図５ａ】
2015018242.tif 000012
【図５ｂ】
2015018242.tif 000013
【図５ｃ】
2015018242.tif 000014
【図６】
2015018242.tif 000015
【図７】
2015018242.tif 000016
【図８】
2015018242.tif 000017
【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
複数の基本画素単位が水平方向及び垂直方向に沿って繰り返されることにより構成される画素アレイであって、
各基本画素単位は、上から下の順に、
２つの水平な行のそれぞれに位置する第１の色の第１サブ画素及び第２の色の第２サブ画素から構成される第１の画素ドットと、
２つの水平な行のそれぞれに位置する第３の色の第３サブ画素及び第１の色の第１サブ画素から構成される第２の画素ドットと、
２つの水平な行のそれぞれに位置する第２の色の第２サブ画素及び第３の色の第３サブ画素から構成される第３の画素ドットと、を含み、
第１の画素ドットにおける第１サブ画素、第２の画素ドットにおける第３サブ画素、及び第３の画素ドットにおける第２サブ画素は、垂直方向において、第１の間隔をもって上から下に順に並んで第１列を構成し、
第１の画素ドットにおける第２サブ画素、第２の画素ドットにおける第１サブ画素、及び第３の画素ドットにおける第３サブ画素は、垂直方向において、第１の間隔をもって上から下に順に並んで第２列を構成し、
前記第２列と前記第１列とは、水平方向において、第２の間隔だけずれている
ことを特徴とする画素アレイ。
【請求項２】
前記第１の間隔は、１つのサブ画素の高さより小さい
ことを特徴とする請求項１に記載の画素アレイ。
【請求項３】
前記第２の間隔は、０以上である
ことを特徴とする請求項１または２に記載の画素アレイ。
【請求項４】
前記第１サブ画素、前記第２サブ画素、及び前記第３サブ画素の形状は、矩形、円型、菱形、又は六角形の中の何れか一種であり、
前記第１の色、前記第２の色、及び前記第３の色は、それぞれ、青、赤、緑である
ことを特徴とする請求項１に記載の画素アレイ。
【請求項５】
前記第１サブ画素、前記第２サブ画素、及び前記第３サブ画素の形状は、矩形、円型、菱形、又は六角形の中の何れか一種であり、
前記第１の色、前記第２の色、及び前記第３の色は、それぞれ、青、緑、赤である
ことを特徴とする請求項１に記載の画素アレイ。
【請求項６】
前記第１サブ画素の面積は、前記第２サブ画素の面積と同様であり、
前記第３サブ画素の面積は、前記第１サブ画素の面積の７５％〜８５％である
ことを特徴とする請求項４に記載の画素アレイ。
【請求項７】
画素領域及び非画素領域を備える基底と、
画素領域に位置し、第１の電極、有機薄層及び第２の電極を含む有機発光ダイオードと、
有機発光ダイオードを駆動するための駆動部とを含み、
前記画素領域の画素アレイは、請求項１〜６のいずれか１項に記載の画素アレイであり、
前記駆動部は、
前記ディスプレイに表示しようとするカラー画像を示す画像信号を入力するための入力ユニットと、
前記ディスプレイの、各第１サブ画素、各第２サブ画素及び各第３サブ画素の強度値を含む強度分布図を生成するためのサブ画素発色ユニットと、
前記強度分布図に基づいて発生された複数の電気信号を前記ディスプレイへ出力するための出力ユニットと、を含む
ことを特徴とするディスプレイ。
【請求項８】
前記駆動部は、さらに、
前記入力ユニットから前記カラー画像を受信して、前記カラー画像に対応するものであって、各第１サブ画素、各第２サブ画素及び各第３サブ画素の輝度値を含む輝度分布図を生成する輝度マッピングユニットと、
前記輝度マッピングユニットと前記サブ画素発色ユニットとの間に電気的に接続され、前記輝度分布図を解析して前記カラー画像の少なくとも１つのパターンを推定するとともに、各パターンに対して、少なくとも１つのカラーテンプレートを生成するためのパターン推定ユニットと、
前記サブ画素発色ユニットと前記出力ユニットとの間に電気的に接続され、サブ画素発色ユニットからの強度分布図を受信してバッファリングしてから出力する輝度バッファーと、を含む
ことを特徴とする請求項７に記載のディスプレイ。
【請求項９】
前記少なくとも１つのパターンは、点パターンを含み、
前記点パターンに対応する前記カラーテンプレートは、
前記点パターンのカラーテンプレートの中心に位置し、第１の輝度値を有する第１サブ画素と、
前記第１サブ画素の直下のサブ画素行に位置し、第２の輝度値を有する第２サブ画素と、
前記第１サブ画素の直上のサブ画素行に位置し、第３の輝度値を有する第３サブ画素と、を含む
ことを特徴とする請求項８に記載のディスプレイ。
【請求項１０】
画像をディスプレイに表示する方法であって、
前記ディスプレイは、請求項１〜６のいずれか１項に記載の画素アレイを有し、
前記方法は、
前記ディスプレイに表示しようとするカラー画像を示す画像信号を入力するステップ（ａ）と、
前記ディスプレイの、各第１サブ画素、各第２サブ画素及び各第３サブ画素の強度値を含む強度分布図を生成するステップ（ｂ）と、
前記強度分布図に基づいて発生された複数の電気信号を前記ディスプレイへ出力するステップ（ｃ）と、を含む
ことを特徴とする方法。